(57)【要約】【課題】キャビネット等の比較的限られた収納空間にも容易に配置することができ、かつ、廃棄時において書類とともに捨て易い。【解決手段】薄手の紙で構成され書類等を収納するファイルボックス１０であって、対向する一対の第１側面部１２、２２と、第１側面部１２、２２間に配設され第１折目３８、５０に沿って折り畳まれることにより第１側面部１２、２２同士の離間距離を小さくさせる一対の第２側面部３２、４４と、第１側面部１２、２２及び第２側面部３２、４４の下端側に配設された底部１８と、第１側面部１２、２２及び第２側面部３２、４４の上端側に形成された開口部５６と、を有する構成とした。【選択図】      図１
2005144736.tif 000002
【特許請求の範囲】
【請求項１】
書類等を収納するファイルボックスであって、
薄手の紙で構成され、かつ一定の形状を保持可能な袋状に形成されていることを特徴とするファイルボックス。
【請求項２】
薄手の紙で構成され書類等を収納するファイルボックスであって、
対向する一対の第１側面部と、前記第１側面部間に配設され第１折目に沿って折り畳まれることにより前記第１側面部同士の離間距離を小さくさせる一対の第２側面部と、前記第１側面部及び前記第２側面部の下端側に配設された底部と、前記第１側面部及び前記第２側面部の上端側に形成された開口部と、
を有することを特徴とするファイルボックス。
【請求項３】
前記第１側面部には第２折目が設けられており、
前記底部は、前記第２折目に沿って前記第１側面部側に折り畳まれることを特徴とする請求項２に記載のファイルボックス。
【請求項４】
前記第１側面部又は前記第２側面部の少なくとも一方には、所定の情報を表示する見出部が設けられていることを特徴とする請求項２又は３に記載のファイルボックス。
【請求項５】
前記見出部は、前記ファイルボックスを移動させるときに把持する取手部を兼ねることを特徴とする請求項４に記載のファイルボックス。
【請求項６】
前記見出部は、前記第１側面部又は前記第２側面部の側端部に一体形成されているリブ状部材であることを特徴とする請求項４又は５に記載のファイルボックス。
【請求項７】
前記見出部には前記第１側面部又は前記第２側面部の側端部に沿って第３折目が設けられており、前記見出部は前記第３折目に沿って折り曲げられることを特徴とする請求項４乃至６のいずれか１項に記載のファイルボックス。
【請求項８】
前記見出部は、前記紙を折り返して構成したことを特徴とする請求項４乃至７のいずれか１項に記載のファイルボックス。
【請求項９】
前記第１側面部又は前記第２側面部には、所定の情報を書き込むことが可能な書込領域が設けられていることを特徴とする請求項２乃至８のいずれか１項に記載のファイルボックス。
【請求項１０】
前記書込領域は、前記第１側面部又は前記第２側面部から前記見出部にわたって設けられていることを特徴とする請求項９に記載のファイルボックス。
【発明の詳細な説明】
【技術分野】
【０００１】
本発明は、古紙等の不要なあるいは用済みの書類を一定期間収納させておくファイルボックスに関する。
【背景技術】
【０００２】
図１４に示すように、従来のファイルボックス１００の中には、上面が開口しており一側面の上縁部を切欠いて形成された保形性を備える厚手のボックス本体１０２と、ボックス本体１０２の側部下方に台形状の切線を施して形成された遊離片１０４と、ボックス本体１０２の側部上方に形成された見出部１０６と、を有したものがある（下記特許文献１参照）。このタイプのファイルボックス１００は全体として箱状に形成されており、ボックス本体１０２の各側面部は所定の強度を有している。このファイルボックス１００は、ボックス本体１０２の内部に古紙等の不要なあるいは用済みの書類を一定期間収納し、整理整頓に役立てていた。
【特許文献１】実公平５−３０９４２号公報
【特許文献２】実開昭６３−１２８９４５号公報
【発明の開示】
【発明が解決しようとする課題】
【０００３】
しかしながら、不要なあるいは用済みの書類を上記ファイルボックスに一定期間収納した後、不要なあるいは用済みの書類を廃棄する場合、前記書類を保形性を備えるファイルボックスとともに廃棄するには抵抗があるため、前記書類をファイルボックスから取り出して前記書類とファイルボックスとに分け、前者を廃棄し、後者をそのまま利用する傾向が強いのが現状である。また、不要なあるいは用済みの書類をファイルボックスとともに廃棄してしまうと、厚手であり保形性を備えたファイルボックスは折り畳み難いため、ごみ箱などがファイルボックスで占められる割合が大きくなるという懸念があった。このため、不要なあるいは用済みの書類のみを廃棄するために、不要なあるいは用済みの書類とファイルボックスとを分別する作業を強いられていた。
また、上記ファイルボックスは、ボックス本体の各側面部に強度があり、かつ箱状に形成されているため、ボックス本体を変形させることが困難であり、キャビネット等の限られた収納空間に配列させるときに不便であった。
【０００４】
そこで、本発明は、上記事情を考慮し、キャビネット等の比較的限られた収納空間にも容易に配置することができ、かつ、廃棄時において書類とともに捨て易いファイルボックスを提供することを目的とする。
【課題を解決するための手段】
【０００５】
請求項１に記載の発明は、書類等を収納するファイルボックスであって、薄手の紙で構成され、かつ一定の形状を保持可能な袋状に形成されていることを特徴とする。
【０００６】
請求項１に記載の発明によれば、ファイルボックスが薄手の紙で構成されているため、未使用時にはファイルボックスを折り畳むことができ、比較的小さくした状態でファイルボックスを保管することができる。これにより、ファイルボックスの保管性を向上させることができる。
一方、ファイルボックスの内部に書類等を収納するいわゆる使用時には、一定の形状が保持可能な袋状に形成されているので、内部に書類等を収納することができる。
ここで、ファイルボックスの内部に収納された書類等を廃棄する時には、ファイルボックスが薄手の紙で構成されており外観視的にも捨て易い印象を使用者に与えるため、ファイルボックスが内部に収納された書類と共に捨てられる。また、ファイルボックスが薄手の紙で構成されているため、書類の廃棄時にはファイルボックスを書類と共に容易に折り畳むことができ、書類と共に捨て易くすることができる。また、ファイルボックスを折り畳むことにより、ごみ箱の内部においてファイルボックスで占められる割合を小さくすることができる。
さらに、ファイルボックスが薄手の紙で構成されているため、ファイルボックスの形状を容易に変形させることができ、比較的狭く限られた収納空間にもファイルボックスを容易に配置させることができる。
【０００７】
請求項２に記載の発明は、薄手の紙で構成され書類等を収納するファイルボックスであって、対向する一対の第１側面部と、前記第１側面部間に配設され第１折目に沿って折り畳まれることにより前記第１側面部同士の離間距離を小さくさせる一対の第２側面部と、前記第１側面部及び前記第２側面部の下端側に配設された底部と、前記第１側面部及び前記第２側面部の上端側に形成された開口部と、を有することを特徴とする。
【０００８】
請求項２に記載の発明によれば、第２側面部が第１折目に沿って折り畳まれて第１側面部同士の離間距離を小さくさせることにより、ファイルボックスを比較的小さくすることができる。ファイルボックスの未使用時には、この比較的小さくした状態でファイルボックスを保管することができ、ファイルボックスの保管性を向上させることができる。
一方、ファイルボックスの内部に書類等を収納するいわゆるファイルボックスの使用時には、第２側面部を第１折目に沿って折り畳まず、第１側面部間の離間距離を大きくすることにより、第１側面部と第２側面部とで囲まれた内部空間が形成され、この内部空間に書類等を収納することができる。
ここで、ファイルボックスの内部に収納された書類等を廃棄する時には、ファイルボックスが薄手の紙で構成されており外観視的にも捨て易い印象を使用者に与えるため、ファイルボックスが内部に収納された書類と共に捨てられる。また、ファイルボックスが薄手の紙で構成されているため、書類の廃棄時にはファイルボックスを書類と共に容易に折り畳むことができ、書類と共に捨て易くすることができる。また、ファイルボックスを折り畳むことにより、ごみ箱の内部においてファイルボックスで占められる割合を小さくすることができる。
さらに、ファイルボックスが薄手の紙で構成されているため、ファイルボックスの形状を容易に変形させることができ、比較的狭く限られた収納空間にもファイルボックスを容易に配置させることができる。
【０００９】
請求項３に記載の発明は、請求項２に記載のファイルボックスにおいて、前記第１側面部には第２折目が設けられており、前記底部は、前記第２折目に沿って前記第１側面部側に折り畳まれることを特徴とする。
【００１０】
請求項３に記載の発明によれば、底部が第２折目に沿って第１側面部側に折り畳まれることにより、ファイルボックスを平らな形状にすることができる。これにより、ファイルボックスの保管性をさらに向上させることができる。
【００１１】
請求項４に記載の発明は、請求項２又は３に記載のファイルボックスにおいて、前記第１側面部又は前記第２側面部の少なくとも一方には、所定の情報を表示する見出部が設けられていることを特徴とする。
【００１２】
請求項４に記載の発明によれば、第１側面部又は第２側面部の少なくとも一方に見出部が設けられているため、この見出部で表示される所定の情報により、内部に収納されている書類等の内容あるいは種類を容易に判別することができる。
【００１３】
請求項５に記載の発明は、請求項４に記載のファイルボックスにおいて、前記見出部は、前記ファイルボックスを移動させるときに把持する取手部を兼ねることを特徴とする。
【００１４】
請求項５に記載の発明によれば、見出部がファイルボックスを移動させるときに把持する取手部を兼ねることにより、取手部を別途設ける必要がない。このため、部材点数を低減でき、低コストを実現することができる。
【００１５】
請求項６に記載の発明は、請求項４又は５に記載のファイルボックスにおいて、前記見出部は、前記第１側面部又は前記第２側面部の側端部に一体形成されているリブ状部材であることを特徴とする。
【００１６】
請求項６に記載の発明によれば、見出部を第１側面部又は第２側面部の側端部に一体形成されているリブ状部材で構成することにより、見出部自体の剛性を高めることができる。
また、見出部を取手部として利用する場合には、リブ状部材を引っ張ると第１側面部又は第２側面部に力が効率的に伝達されるため、ファイルボックスを容易に移動させることができる。
【００１７】
請求項７に記載の発明は、請求項４乃至６のいずれか１項に記載のファイルボックスにおいて、前記見出部には前記第１側面部又は前記第２側面部の側端部に沿って第３折目が設けられており、前記見出部は前記第３折目に沿って折り曲げられることを特徴とする。
【００１８】
請求項７に記載の発明によれば、見出部が不要であれば、見出し部を第３折目に沿って折り曲げることにより、見出部が外部に突出することを防止できる。これにより、見出部が邪魔にならず、より限られた収納空間にファイルボックスを配置させる場合にも対応することができる。
【００１９】
請求項８に記載の発明は、請求項４乃至７のいずれか１項に記載のファイルボックスにおいて、前記見出部は、前記紙を折り返して構成したことを特徴とする。
【００２０】
請求項８に記載の発明によれば、紙を折り返して見出部を構成することにより、見出部を複数の層にすることができる。これにより、見出部の剛性をさらに高めることができる。
また、見出部を取手部として利用する場合でも、取手部の剛性を高めることにより、ファイルボックスを引き出す等したときに、取手部が破損してしまうことを防止できる。
【００２１】
請求項９に記載の発明は、請求項２乃至８のいずれか１項に記載のファイルボックスにおいて、前記第１側面部又は前記第２側面部には、所定の情報を書き込むことが可能な書込領域が設けられていることを特徴とする。
【００２２】
請求項９に記載の発明によれば、第１側面部又は第２側面部には書込領域が設けられているため、この書込領域に所定の情報を書き込むことができる。特に、見出部に表示された情報とは別の情報を表示したいときに、書込領域を有効に活用することができる。
【００２３】
請求項１０に記載の発明は、請求項９に記載のファイルボックスにおいて、前記書込領域は、前記第１側面部又は前記第２側面部から前記見出部にわたって設けられていることを特徴とする。
【００２４】
請求項１０に記載の発明によれば、第１側面部又は第２側面部から見出部にわたって書込領域が設けられているため、この書込領域に所定の情報を書き込むことができる。このように書込領域を広くすることができるため、書込領域に書き込むべき情報の情報量が多い場合に有効である。
【発明の効果】
【００２５】
請求項１に記載の発明は、ファイルボックスが薄手の紙で構成されているため、未使用時にはファイルボックスを折り畳むことができ、比較的小さくした状態でファイルボックスを保管することができる。これにより、ファイルボックスの保管性を向上させることができる。
一方、ファイルボックスの内部に書類等を収納するいわゆる使用時には、一定の形状が保持可能な袋状に形成されているので、内部に書類等を収納することができる。
ここで、ファイルボックスの内部に収納された書類等を廃棄する時には、ファイルボックスが薄手の紙で構成されており外観視的にも捨て易い印象を使用者に与えるため、ファイルボックスが内部に収納された書類と共に捨てられる。また、ファイルボックスが薄手の紙で構成されているため、書類の廃棄時にはファイルボックスを書類と共に容易に折り畳むことができ、書類と共に捨て易くすることができる。また、ファイルボックスを折り畳むことにより、ごみ箱の内部においてファイルボックスで占められる割合を小さくすることができる。
さらに、ファイルボックスが薄手の紙で構成されているため、ファイルボックスの形状を容易に変形させることができ、比較的狭く限られた収納空間にもファイルボックスを容易に配置させることができる。
【００２６】
請求項２に記載の発明は、第２側面部が第１折目に沿って折り畳まれて第１側面部同士の離間距離を小さくさせることにより、ファイルボックスを比較的小さくすることができる。ファイルボックスの未使用時には、この比較的小さくした状態でファイルボックスを保管することができ、ファイルボックスの保管性を向上させることができる。
一方、ファイルボックスの内部に書類等を収納するいわゆるファイルボックスの使用時には、第２側面部を第１折目に沿って折り畳まず、第１側面部間の離間距離を大きくすることにより、第１側面部と第２側面部とで囲まれた内部空間が形成され、この内部空間に書類等を収納することができる。
ここで、ファイルボックスの内部に収納された書類等を廃棄する時には、ファイルボックスが薄手の紙で構成されており外観視的にも捨て易い印象を使用者に与えるため、ファイルボックスが内部に収納された書類と共に捨てられる。また、ファイルボックスが薄手の紙で構成されているため、書類の廃棄時にはファイルボックスを書類と共に容易に折り畳むことができ、書類と共に捨て易くすることができる。また、ファイルボックスを折り畳むことにより、ごみ箱の内部においてファイルボックスで占められる割合を小さくすることができる。
さらに、ファイルボックスが薄手の紙で構成されているため、ファイルボックスの形状を容易に変形させることができ、比較的狭く限られた収納空間にもファイルボックスを容易に配置させることができる。
【００２７】
請求項３に記載の発明は、底部が第２折目に沿って第１側面部側に折り畳まれることにより、ファイルボックスを平らな形状にすることができる。これにより、ファイルボックスの保管性をさらに向上させることができる。
【００２８】
請求項４に記載の発明は、第１側面部又は第２側面部の少なくとも一方に見出部が設けられているため、この見出部で表示される所定の情報により、内部に収納されている書類等の内容あるいは種類を容易に判別することができる。
【００２９】
請求項５に記載の発明は、見出部がファイルボックスを移動させるときに把持する取手部を兼ねることにより、取手部を別途設ける必要がない。このため、部材点数を低減でき、低コストを実現することができる。
【００３０】
請求項６に記載の発明は、見出部を第１側面部又は第２側面部の側端部に一体形成されているリブ状部材で構成することにより、見出部自体の剛性を高めることができる。
また、見出部を取手部として利用する場合には、リブ状部材を引っ張ると第１側面部又は第２側面部に力が効率的に伝達されるため、ファイルボックスを容易に移動させることができる。
【００３１】
請求項７に記載の発明は、見出部が不要であれば、見出し部を第３折目に沿って折り曲げることにより、見出部が外部に突出することを防止できる。これにより、見出部が邪魔にならず、より限られた収納空間にファイルボックスを配置させる場合にも対応することができる。
【００３２】
請求項８に記載の発明は、紙を折り返して見出部を構成することにより、見出部を複数の層にすることができる。これにより、見出部の剛性をさらに高めることができる。
また、見出部を取手部として利用する場合でも、取手部の剛性を高めることにより、ファイルボックスを引き出す等したときに、取手部が破損してしまうことを防止できる。
【００３３】
請求項９に記載の発明は、第１側面部又は第２側面部には書込領域が設けられているため、この書込領域に所定の情報を書き込むことができる。特に、見出部に表示された情報とは別の情報を表示したいときに、書込領域を有効に活用することができる。
【００３４】
請求項１０に記載の発明は、第１側面部又は第２側面部から見出部にわたって書込領域が設けられているため、この書込領域に所定の情報を書き込むことができる。このように書込領域を広くすることができるため、書込領域に書き込むべき情報の情報量が多い場合に有効である。
【発明を実施するための最良の形態】
【００３５】
次に、本発明の一実施形態に係るファイルボックスについて、図面を参照して説明する。
【００３６】
図１乃至図８に示すように、ファイルボックス１０は、略長方形状に形成された前壁部（第１側面部）１２を備えている。前壁部１２の上端部には上側折返片１４が形成されており、上側折返片１４が内側に折り返されて前壁部１２の上端縁が２重構造となっている。また、前壁部１２の下端部には下側折返片１６が形成されており、下側折返片１６が内側に折り返されてファイルボックス１０の底部１８の一部が構成される。なお、これらの前壁部１２、上側折返片１４及び下側折返片１６は、薄手の紙で一体的に構成されている。
また、図２に示すように、前壁部１２には、前壁部１２の長手方向（図２中矢印Ａ方向）に延びる第１の水平折目２０（第２折目）が形成されている。
【００３７】
また、図１及び図６に示すように、前壁部１２と対向する位置には、略長方形状の後壁部（第１側面部）２２が配置されている。後壁部２２の上端部には上側折返片２４が形成されており、上側折返片２４が内側に折り返されて後壁部２２の上端縁が２重構造となっている。また、後壁部２２の下端部には下側折返片２６が形成されており、下側折返片２６が内側に折り返されてファイルボックス１０の底部１８の一部が構成される。なお、これらの後壁部２２、上側折返片２４及び下側折返片２６は、薄手の紙で一体的に構成されている。
また、図２に示すように、後壁部２２には、後壁部２の長手方向（図２中矢印Ｂ方向）に延びる第２の水平折目３０（第２折目）が形成されている。この第２の水平折目３０は、第１の水平折目２０と略同じ高さとなる位置に形成されている。
【００３８】
また、図１及び図７に示すように、前壁部１２と後壁部２２との間には、右壁部（第２側面部）３２が配置されている。この右壁部３２の上端部には上側折返片３４が形成されており、上側折返片３４が内側に折り返されて右壁部３２の上端縁が２重構造となっている。また、右壁部３２の下端部には下側折返片３６が形成されており、下側折返片３６が内側に折り返されてファイルボックス１０の底部１８の一部が構成される。なお、これらの右壁部３２、上側折返片３４及び下側折返片３６は、薄手の紙で一体的に構成されている。
また、図２及び図７に示すように、右壁部３２の略中央には、高さ方向（図２中矢印Ｃ方向）に延びる第１の垂直折目３８（第１折目）が形成されている。第１の垂直折目３８の上側端部は右壁部３２の上端部まで達しており、第１の垂直折目３８の下端部は右壁部３２の下端部近傍まで延びている。また、第１の垂直折目３８の下端部と右壁部３２の下端部を構成する２つの角部Ｘ、Ｙとの間には、第１の傾斜折目４０と第２の傾斜折目４２とがそれぞれ形成されている。
なお、第１の垂直折目３８の下端部は、第１の水平折目２０及び第２の水平折目３０と略同じ高さになるように設定されている。
【００３９】
また、図１及び図８に示すように、右壁部３２と対向する位置には、略長方形状の左壁部（第２側面部）４４が配置されている。左壁部４４の上端部には上側折返片４６が形成されており、上側折返片４６が内側に折り返されて左壁部４４の上端縁が２重構造となっている。また、左壁部４４の下端部には下側折返片４８が形成されており、下側折返片４８が内側に折り返されてファイルボックス１０の底部１８の一部が構成される。なお、これらの左壁部４６、上側折返片４６及び下側折返片４８は、薄手の紙で一体的に構成されている。
また、図２及び図８に示すように、左壁部４４の略中央には、高さ方向に延びる第２の垂直折目５０（第１折目）が形成されている。第２の垂直折目５０の上側端部は左壁部４４の上端部まで達しており、第２の垂直折目５０の下端部は左壁部４４の下端部近傍まで延びている。また、第２の垂直折目５０の下端部と左壁部４４の下端部を構成する２つの角部Ｓ、Ｒとの間には、第３の傾斜折目５２と第４の傾斜折目５４とがそれぞれ形成されている。
なお、第２の垂直折目５０の下端部は、第１の水平折目２０及び第２の水平折目３０と略同じ高さになるように設定されている。
【００４０】
また、前壁部１２と後壁部２２の長手方向の長さＬ１、Ｌ２は、それぞれ同じ寸法となるように設定されている。また、同様に、右壁部３２と左壁部４４の長手方向の長さＴ１、Ｔ２は、それぞれ同じ寸法となるように設定されている。さらに、前壁部１２と後壁部２２の長手方向の長さＬ１、Ｌ２は、右壁部３２と左壁部４４の長手方向の長さＴ１、Ｔ２よりも長くなるように設定されている。また、前壁部１２、後壁部３３、右壁部３２及び左壁部４４の高さ（長手方向の長さに対して直交する方向の長さ）Ｈは、全て同じ寸法となるように設定されている。
【００４１】
以上のように、ファイルボックス１０は、前壁部１２、後壁部２２、右壁部３２、左壁部４４及び底部１８により閉じられて形成された内部空間を備えており、上方に開口した開口部５６を有した袋状に形成されている。また、ファイルボックス１０は、内部空間（又は開口部５６）の所定の形状が保持される構成になっており、内部空間に新聞紙等の不要なあるいは用済みの書類が長期間安定して収納できるようになっている。
【００４２】
ここで、図１及び図２に示すように、左壁部４４の左側端部には、見出部５８が設けられている。この見出部５８は、第１の側壁部６０と、第２の側壁部６２と、で構成されており、この第１の側壁部６０と第２の側壁部６２とが重なり合って２重構造となっている。このように、見出部５８は、第１の側壁部６０に第２の側壁部６２が折り返されて構成されたリブ状部材となっている。
【００４３】
また、図１及び図４に示すように、第１の側壁部６０と左壁部４４との境界には、左側端部の長手方向に沿って第３の垂直折目６４（第３折目）が形成されており、見出部５８が第３の垂直折目６４に沿って折り曲げられることが可能な構成になっている。
【００４４】
次に、ファイルボックス１０の構成について図２に示す展開図に基づいて説明する。
図２に示すように、前壁部１２の左側端部には、組立時に左壁部４４の内側と接着する接着片６６が一体形成されている。前壁部１２の上端部には前壁部１２の内側に折り返される上側折返片１４が一体形成されている。さらに、前壁部１２の下端部には前壁部１２の内側に折り返されてファイルボックス１０の底部１８の一部を構成する下側折返片１６が一体形成されている。
【００４５】
また、前壁部１２の右側端部には右壁部３２が一体形成されている。右壁部３２の上端部には右壁部３２の内側に折り返される上側折返片３４が一体形成されている。さらに、右壁部３２の下端部には右壁部３２の内側に折り返されてファイルボックス１０の底部１８の一部を構成する下側折返片３６が一体形成されている。
【００４６】
また、右壁部３２の右側端部には後壁部２２が一体形成されている。後壁部２２の上端部には後壁部２２の内側に折り返される上側折返片２４が一体形成されている。さらに、後壁部２２の下端部には後壁部２２の内側に折り返されてファイルボックス１０の底部１８の一部を構成する下側折返片２６が一体形成されている。
【００４７】
また、後壁部２２の右側端部には左壁部４４が一体形成されている。左壁部４４の上端部には左壁部４４の内側に折り返される上側折返片４６が一体形成されている。さらに、左壁部４４の下端部には左壁部４４の内側に折り返されてファイルボックス１０の底部１８の一部を構成する下側折返片４８が一体形成されている。
【００４８】
また、図２に示すように、左壁部４４の右側端部には、見出部５８を構成する第１の側壁部６０が一体形成されている。この第１の側壁部６０には、第１の側壁部６０と重なり合って見出部５８を構成する第２の側壁部６２が一体形成されている。
【００４９】
なお、本実施形態のファイルボックス１０に用いられる薄手の紙とは、好ましくは１平方メートル当り８０グラム以上２１０グラム以下の米坪量を有する紙で、折り罫がなくても折り曲げ易いものである。
【００５０】
次に、本実施形態のファイルボックス１０の作用及び効果について説明する。
【００５１】
図２及び図９に示すように、ファイルボックス１０に新聞や雑誌等の不要なあるいは用済みの書類を収納しない状態（ファイルボックス１０の不使用時）では、右壁部３２及び左壁部４４を第１の垂直折目３８及び第２の垂直折目５０に沿ってかつファイルボックス１０の内側に向かってそれぞれ折り畳む。また、このとき、前壁部１２の下側一部及び後壁部２２の下側一部を第１の水平折目２０及び第２の水平折目３０に沿って折り畳む。これにより、ファイルボックス１０の厚みを可能な限り薄くすることができる。
次に、図１０に示すように、底部１８を第１の水平折目２０に沿って前壁部１２に接するように折り曲げる。これにより、ファイルボックス１０を全体として平らな形状にすることができる。このように、ファイルボックス１０を平らな形状とすることにより、ファイルボックス１０の不使用時において、比較的狭く限られた収納空間にファイルボックス１０を容易に収納し保管することができ、ファイルボックス１０の保管性を向上させることができる。
【００５２】
一方、図１１に示すように、ファイルボックス１０に新聞や雑誌等の不要なあるいは用済みの書類Ｐを収納した状態（ファイルボックス１０の使用時）では、ファイルボックス１０の内部空間に雑誌や新聞等の書類Ｐを収納する。このとき、ファイルボックス１０は、開口部５６が開いた状態（形状）で保持されているため、内部空間のほとんどを書類Ｐで占めることができ、内部空間を有効に利用することができる。
また、ファイルボックス１０は、薄手の紙で構成されているため、ファイルボックス１０自体を容易に変形させることができる。これにより、比較的狭い収納空間においてもファイルボックス１０を容易に配置することができる。
【００５３】
このとき、ファイルボックス１０に収納された書類Ｐに関する情報を見出部５８に表示することにより、見出部５８を見れば、ファイルボックス１０に収納された書類Ｐの内容あるいは種類を容易に判別することができ、ファイルボックス１０の利便性をさらに向上させることができる。
また、見出部５８が不要な場合には、図４に示すように、見出部５８を第３の垂直折目６４に沿って折り曲げることにより、見出部５８が左壁部４４側に大きく突出することがなく、見出部５８が邪魔になることがない。
【００５４】
また、内部空間に書類Ｐが収納されたファイルボックス１０を引き出して移動させる場合には、見出部５８を持つことによりファイルボックス１０を容易に引き出して移動させることができる。また、見出部５８は、第１の側壁部６０と第２の側壁部６２とが重なり合って形成されており、また左壁部４４などのファイルボックス１０の他の構成部材と一体形成されているため、見出部５８の剛性を向上させることができ、比較的重い書類Ｐが収納されている場合に見出部５８を引っ張る等しても、見出部５８が引きちぎれるなどして破損してしまうことを防止できる。さらに、見出部５８は、左壁部４４の右側端部に設けられているため、見出部５８を引っ張ると左壁部４４にこの力が効率良く伝達され、僅かな力でもファイルボックス１０を容易に移動させることができる。
このように、見出部５８を取手部として用いることにより、見出部５８とは別に取手部を設ける必要がなく、ファイルボックス１０の部材点数を削減でき、製造コストを低減することができる。
【００５５】
また、ファイルボックス１０の内部に収納された不要なあるいは用済みの書類Ｐを廃棄する場合には、ファイルボックス１０が薄手の紙で袋状に形成されたものであるため、使用者に対して外観的に捨て易い印象を与えるので、内部の書類Ｐと共にファイルボックス１０をそのまま捨てることができる。
すなわち、従来のファイルボックス１００（図１４参照）のように厚手に構成され使用者に捨て難さを印象付けるものと異なり、本発明のファイルボックス１０は、薄手の紙で袋状に形成されているだけで使用者に捨て易さの印象を与えることができるため、内部の書類Ｐを廃棄させるときにファイルボックス１００が廃棄されず内部の書類Ｐだけが廃棄されるという結果を排除することができる。
ここで、ファイルボックス１０を捨てる時には、ファイルボックス１０が薄手の紙で構成されているため、ファイルボックス１０を内部の書類Ｐと共に容易に折り畳むことができる。これにより、ファイルボックス１０を小さくすることができるため、書類Ｐと共に捨て易くなり、さらにごみ箱（図示省略）の内部がファイルボックスで占められる割合を小さくすることができる。
【００５６】
また、ファイルボックス１０の開口部５６の開口縁は２重構造となっているので、薄手の紙で構成されていながらも開口縁に強度を持たせることができ、比較的重い書類が開口縁に接触した場合でも、開口縁が破損してしまうことを防止することができる。
【００５７】
さらに、図１２に示すように、左壁部４４に書込領域７０を設けることにより、この書込領域７０に見出部５８の情報とはまた別の情報を表示することができ、ファイルボックス１０の利便性をさらに向上させることができる。
なお、この書込領域７０は、左壁部４４に限られることはなく、前壁部１２、後壁部２２及び右壁部３２にもそれぞれ設けることができる。
特に、図１３に示すように、左壁部４４から見出部５８にわたって書込領域７０を設けることにより、書込領域７０を広くすることができるため、書込領域７０に書き込むべき情報の情報量が多い場合に有効である。
【００５８】
なお、本実施形態のファイルボックス１０においては、見出部５８は左壁部４４に一体形成されている形態を例に取り説明したが、これに限られるものではなく、他の構成部材に設けられていてもよい。また、見出部５８は１つに限られるものではなく、必要に応じてその数を適宜増減させてもよい。
【図面の簡単な説明】
【００５９】
【図１】本発明の一実施形態に係るファイルボックスの斜視図である。
【図２】本発明の一実施形態に係るファイルボックスの展開図である。
【図３】本発明の一実施形態に係るファイルボックスの平面図である。
【図４】本発明の一実施形態に係るファイルボックスに設けられた見出部が第３の垂直折目に沿って折り曲げられた状態を示す作用図である。
【図５】本発明の一実施形態に係るファイルボックスの正面図である。
【図６】本発明の一実施形態に係るファイルボックスの背面図である。
【図７】本発明の一実施形態に係るファイルボックスの左側面図である。
【図８】本発明の一実施形態に係るファイルボックスの右側面図である。
【図９】本発明の一実施形態に係るファイルボックスを構成する第２側面部が第１折目で折り畳まれた状態を示す状態図である。
【図１０】本発明の一実施形態に係るファイルボックスを構成する底部が第２折目で折り畳まれた状態を示す状態図である。
【図１１】本発明の一実施形態に係るファイルボックスの使用図である。
【図１２】本発明の一実施形態に係るファイルボックスの左壁部に書込領域が設けられた状態を示す斜視図である。
【図１３】本発明の一実施形態に係るファイルボックスの左壁部から見出部にわたって書込領域が設けられた状態を示す斜視図である。
【図１４】従来技術となるファイルボックスの斜視図である。
【符号の説明】
【００６０】
１０  ファイルボックス
１２  前壁部（第１側面部）
１８  底部
２０  第１の水平折目（第２折目）
２２  後壁部（第１側面部）
３０  第２の水平折目（第２折目）
３２  右壁部（第２側面部）
３８  第１の垂直折目（第１折目）
４４  左壁部（第２側面部）
５０  第２の垂直折目（第１折目）
５６  開口部
５８  見出部
６４  第３の垂直折目（第３折目）
７０  書込領域
【図１】
2005144736.tif 000003
【図２】
2005144736.tif 000004
【図３】
2005144736.tif 000005
【図４】
2005144736.tif 000006
【図５】
2005144736.tif 000007
【図６】
2005144736.tif 000008
【図７】
2005144736.tif 000009
【図８】
2005144736.tif 000010
【図９】
2005144736.tif 000011
【図１０】
2005144736.tif 000012
【図１１】
2005144736.tif 000013
【図１２】
2005144736.tif 000014
【図１３】
2005144736.tif 000015
【図１４】
2005144736.tif 000016